(57)【要約】【課題】表示装置の大型化など遊技盤面のゲージの自由度を広げるようにして遊技の興趣が高められるようにした遊技機の補助釘部材を提供する。【解決手段】遊技盤３面にほぼ一直線状に列設されると共に該遊技盤３面の左右いずれか一方側へ下傾し遊技球Ｂを受けて誘導する障害釘群２０の下方に配置され、障害釘群２０における隣り合う各障害釘２１間のほぼ中央に平行に位置しかつそれら障害釘２１と面一となるように並ぶ複数の突条２５を備えてなる。また、補助釘部材２２は遊技盤３面の上部、下部のいずれの障害釘群２０にも適用できる。【選択図】図３
2006346016.tif 000002
【特許請求の範囲】
【請求項１】
遊技盤面にほぼ一直線状に列設されると共に該遊技盤面の左右いずれか一方側へ下傾し遊技球を受けて誘導する障害釘群の下方に配置され、前記障害釘群における隣り合う各障害釘間のほぼ中央に平行に位置しかつそれら障害釘と面一となるように並ぶ複数の突条を備えたことを特徴とする遊技機の補助釘部材。
【請求項２】
前記各突条は、その軸線方向と直交する方向の幅が障害釘の軸径とほぼ同じでありかつ上面が障害釘の周面とほぼ同じ円弧面に成形される請求項１記載の遊技機の補助釘部材。
【発明の詳細な説明】
【技術分野】
【０００１】
この発明は、遊技盤面にほぼ一直線状に列設されると共に該遊技盤面の左右いずれか一方側へ下傾し遊技球を受けて誘導する障害釘群の下方に配置され、前記障害釘群の水平面に対する傾斜角度が変えられるようにした遊技機の補助釘部材に関するものである。
【背景技術】
【０００２】
最近、遊技機の一種であるパチンコ遊技機にあっては、ガイドレールで囲われる遊技部のほぼ中央に数字、図柄等の情報を変動表示する大型の表示装置を配置し、その下方に始動入賞口及び入賞装置を装着し、前記始動入賞口に遊技球が入賞することにより前記情報が変動され、停止したときの情報が特定の表示（例えば、「７７７」）に揃ったとき、遊技者に有利な特別遊技状態になり入賞装置の開閉扉が開き一定の条件で一度に多くの入賞球が得られるようにしたものが好評を博している（例えば、特許文献１参照。）。
【特許文献１】特開平９−１９５４６号公報（第２頁段落０００９、図１）
【発明の開示】
【発明が解決しようとする課題】
【０００３】
ところで、最近、遊技の興趣を高めるべく前記表示装置を大型化しその表示部を縦横共に広くしようとする傾向にある。しかしながら、前記表示装置の下方には始動入賞口や入賞装置が上下に配置され、しかも、始動入賞口の両側にそれぞれ遊技盤面にほぼ一直線状に列設されると共に該遊技盤面の左右いずれか一方側へ下傾し、遊技球を受けて例えば始動入賞口へ誘導する障害釘群が装着されている。
【０００４】
更に詳しく説明すると、前記始動入賞口を挟んで左右に配置されるほぼ一直線状の衝害釘群はいずれも中央、すなわち始動入賞口に向かって下傾しており、その傾斜角度は水平面に対してほぼ３０度に設定されている。通常、障害釘は釘打機により挟んで打ち込まれ、しかも、各障害釘には通常軸径よりも外径の大きい頭部を有することから、これら障害釘を接触するほど接近して配置することはできず、隣り合う障害釘間には一定の間隔が空くようになっている。
【０００５】
このため、仮に、前記ほぼ一直線状の障害釘群の傾斜角度を３０度よりも緩やかな傾斜にすると、遊技球の重心の位置が障害釘間に落ち着き、その遊技球が障害釘間に滞留して流れない状態が起きる可能性がある。よって、前記衝害釘群は、その傾斜角度を水平面に対し３０度以下に下げることができないようになっている。このことは、見方を変えれば、表示装置を大型化したいという要望を阻む一要因として挙げられる。
【０００６】
そこで、本発明は上記課題に鑑みてなされたもので、ほぼ一直線状の障害釘群の傾斜角度を規定の角度よりも下げることができるようにして、表示装置の大型化など遊技盤面のゲージの自由度を広げ遊技の興趣が高められるようにした遊技機の補助釘部材を提供することを目的とするものである。
【課題を解決するための手段】
【０００７】
かかる目的を達成するため本発明に係る遊技機の補助釘部材は、遊技盤面にほぼ一直線状に列設されると共に該遊技盤面の左右いずれか一方側へ下傾し遊技球を受けて誘導する障害釘群の下方に配置され、前記障害釘群における隣り合う各障害釘間のほぼ中央に平行に位置しかつそれら障害釘と面一となるように並ぶ複数の突条を備えてなる。また、本発明は、遊技盤面の上部、下部のいずれの障害釘群にも適用できる。
【０００８】
この際、前記各突条は、その軸線方向と直交する方向の幅が障害釘の軸径とほぼ同じでありかつ上面が障害釘の周面とほぼ同じ円弧面に成形されることが好ましい。
【発明の効果】
【０００９】
本発明に係る遊技機の補助釘部材は、障害釘群の下方に配置され、該障害釘群における隣り合う各障害釘間のほぼ中央に平行に位置しかつそれら障害釘と面一となるように並ぶ複数の突条を備えてなるので、前記障害釘群の各障害釘間が実質的に狭められたことになり、これによりほぼ一直線状の障害釘群の水平面に対する傾斜角度を３０度以下、例えば２０度、にしても各障害釘間に遊技球が落ち着いてそこに滞留するといった虞はない。よって、その分遊技盤面の自由度が広げられ表示装置の大型化に対応し得て、結果的に遊技の興趣が高められるという効果がある。
【００１０】
また、補助釘部材の各突条は、その軸線方向と直交する方向の幅を障害釘の軸径とほぼ同じとしかつ上面を障害釘の周面とほぼ同じ円弧面に成形すれば、各突条が各障害釘に馴染んでその上面で受けられる遊技球の跳ね返りが安定し、遊技し易いという効果がある。
【発明を実施するための最良の形態】
【００１１】
以下、本発明に係る遊技機の補助釘部材の実施の形態を図面に基づき説明する。なお、遊技機には例えばパチンコ遊技機、アレンジボール機、雀球遊技機が有るが、本発明にあっては、その一例としてパチンコ遊技機について説明する。図１は本発明が適用されるパチンコ遊技機の正面図である。パチンコ遊技機Ｐは、外側に木製の外枠１を有し、その前面に前面枠２が一側を軸着して開閉自在に装着される。前記前面枠２には遊技盤３が設置される。
【００１２】
前記前面枠２の前面には、その上部に前記遊技盤３の前面を覆う透明板保持枠４が一側を支点にして自在に開閉するように配置される。該透明板保持枠４は合成樹脂材により成形され、中央に窓開口５が開設される。該窓開口５に該窓開口５を塞ぐようにして透明板であるガラス板６が取着される。そして、この窓開口５を介して前記遊技盤３の前面が前側から視認できるようになっている。
【００１３】
また、前記前面枠２の前面であって透明板保持枠４の下方に、前板７が前記透明板保持枠４と同様に一側を支点として自在に回動するように軸着される。この前板７の前面には、打球発射位置（図示せず。）へ供給される遊技球を貯留する打球供給皿８が装着される。前面枠２の下部前面に前記打球供給皿８から溢れた遊技球を貯留する余剰球受皿９が装着される。また、その一側に、自在に回動して打球としての遊技球の打撃力を調節することができる操作ハンドル１０が設けられている。
【００１４】
前記遊技盤３の前面に、渦巻状に敷設された内側・外側ガイドレール１１ａ，１１ｂに囲われて遊技部３ａが成形される。該遊技部３ａには、その中央に位置して数字、図柄等の情報を変動表示する大型の表示装置１２が装着される。また、その下方に遊技球の入賞によって前記情報を変動させる始動入賞口１３、前記表示装置１２の表示部１２ａの情報が特定の表示（例えば、「７７７」）に揃ったとき、一定の条件で一度に多くの入賞球が得られる大型の入賞装置１４がそれぞれ装着されている。
【００１５】
前記入賞装置１４は、遊技盤３面に取着される取付板１５に前後へ自在に傾動する開閉扉１６により塞がれる球入口１７が開設され、その内部に通常入賞孔（図示せず。）とＶ入賞孔（図示せず。）が配設される。また、前記球入口１７の両側に、取付板１５に通常の入賞口１８，１８が装着される。入賞装置１４の下方には、遊技部３ａに打ち込まれた遊技球であって入賞しなかった遊技球をアウト球として遊技盤３の裏側へ排出するアウト球口１９が開設されている。
【００１６】
そこで、例えば遊技部３ａに打ち込まれた遊技球Ｂが、始動入賞口１３に入賞すると、表示装置１２の表示部１２ａの情報が変動する。そして、その情報が変動を停止し、その停止したときの情報が特定の組合せ（例えば「７７７」）に揃い遊技者にとって有利な特別遊技状態になったとき、開閉扉１６が前側へ傾動して球入口１７に一度に多くの遊技球Ｂが入賞することになる。
【００１７】
ただ、前記開閉扉１６は、球入口１７に１０個の遊技球が入賞するか、所定時間経過（開閉扉１６が前側へ傾動したときから３０秒経過）すると、後側へ起立して閉じるようになっている。その間、Ｖ入賞孔に少なくとも１個の遊技球Ｂが入賞すると前記遊技球Ｂが１０個入賞するか所定時間経過後に再び開閉扉１６が前側へ傾動して球入口１７が開く。この動作は、前記Ｖ入賞孔に遊技球Ｂが入賞することを条件に規定の回数（例えば１６回）繰返され多くの遊技球Ｂを獲得できるようになっている。前記規定の回数が終了すれば、開閉扉１６が遊技球を入賞させない元の起立位置に復帰して球入口１７を閉じる。
【００１８】
ところで、前記遊技盤３面の遊技部３ａには、前記始動入賞口１３の両側にそれぞれほぼ一直線状の障害釘群２０，２０が配置されている。前記各障害釘群２０は、複数の障害釘２１が所定の間隔離れて遊技盤３面に植設され、ほぼ一直線状に列設されると共に該遊技盤３面の左右いずれか一方側（この場合、中央の始動入賞口側）へ下傾している。そして、一方（例えば、図１では向かって左側）の障害釘群２０の下方に接近して補助釘部材２２が配置される。該補助釘部材２２は、障害釘群２０の水平面に対する傾斜角度を緩くすることができるものであり、合成樹脂材により成形される。この材質は、合成樹脂製に限らず金属製またはセラミックス製であっても良い。
【００１９】
補助釘部材２２は、図２に示すように遊技盤３面に取り付けるための横長の取付板部２３を有し、該取付板部２３の上端縁部に沿って遊技盤３面に対しほぼ直角に配置される帯状の補助板部２４が一体に設けられている。該補助板部２４の上面には、その長手方向に沿って該長手方向と直交する方向に複数の突条２５が等間隔に並設されている。また、補助板部２４の上面であって、各突条２５の間にはその中央に各突条２５より所定の高さ低い受条部２６が同じく平行に突設されている。取付板部２３の両端部には、ビス挿通孔２７が開設される。
【００２０】
隣接する前記各突条２５間の間隔は、障害釘群２０の各障害釘２１，２１間の間隔とほぼ同じ寸法に設定されている。また、各突条２５は、その軸方向と直交する方向の幅が障害釘２１の軸径とほぼ同じであってかつ上面が障害釘２１の軸部２１ａの周面とほぼ同じ円弧面に成形される。ただ、各突条２５の上面は前記円弧面に限ることはなく、例えば多角形状であっても良い。
【００２１】
前記各受条部２６はその上面２６ａが断面凹弧面に成形される。そして、補助釘部材２２を障害釘群２０の下方であって所定の位置に設置するとき、各受条部２６の上面２６ａを各障害釘２１の軸部２１ａの下面に当接させることになる。これによって、障害釘群２０の各障害釘２１に対する各突条２５の高さ位置が面一となるように設定される。すなわち、各受条部２６は、該各受条部２６の上面２６ａを各障害釘２１の下面に当接したとき、各突条２５が各障害釘２１と面一となるように並び、かつ各突条２５が各隣り合う障害釘２１，２１間のほぼ中央に位置するようにその高さ及び位置が設定されている。
【００２２】
このように成形される補助釘部材２２は、図３、図４に示すように向かって左側の各障害釘群２０の下方に接近させ、各受条部２６の上面２６ａを各障害釘２１の軸部２１ａの下面に当接するようにして配置する。各突条２５は、それぞれ各障害釘２１間のほぼ中央に平行に配置されると共に各障害釘２１と面一となり、ほぼ一直線状であって平面上に並ぶことになる。この状態で、各ビス挿通孔２７にビス２８を挿入して螺締する。これにより、補助釘部材２２が遊技盤３面に固定される。この際、各突条２５及び各受条部２６は各障害釘２１の頭部２１ｂよりも後側に位置し、前側から見ても余り目立たなくしている。また、障害釘群２０の両端に位置する障害釘２１，２１には、突条２５が掛からないようにしている。これは、それら障害釘２１，２１がしばしば釘調整される場合に返って補助釘部材２２が邪魔になるからである。
【００２３】
本発明は、前記のように障害釘群２０における隣り合う各障害釘２１間のほぼ中央に、突条２５が平行に位置しかつ該各障害釘２１と面一となるようにして並ぶようにしたので、障害釘群２０の各障害釘２１間の距離が実質的に狭められたことになる。これにより、各障害釘２１間に遊技球Ｂが落ち着いてそこに滞留してしまうといった虞がなくなり、ほぼ一直線状の障害釘群２０の水平面に対する傾斜角度を３０度以下、例えば２０度にすることも可能となる。よって、その分遊技盤３面の自由度が広げられ、表示装置１２の大型化に対応し得る。
【００２４】
また、図示は省略するが、前記補助釘部材２２は、取付板部２３を広げてレンズ部を設け、一方、該レンズ部の裏側にＬＥＤなど発光体を配置して発光させ、電飾機能を付加させるようにしても良い。
【００２５】
なお、前記障害釘群２０の替わりに、例えば平坦な合成樹脂製の帯板を用いることが考えられるが、これでは障害釘２１特有の遊技球Ｂを適度に弾くという弾力性に欠け、遊技球の動きが極めて単調になり、遊技の興趣が半減することとなる。よって、前記帯板は採用し難い。
【図面の簡単な説明】
【００２６】
【図１】本発明が適用されるパチンコ遊技機の正面図。
【図２】補助釘部材の斜視図。
【図３】遊技盤面に取着された補助釘部材部位の正面断面図。
【図４】図３のＸ−Ｘ線断面図。
【符号の説明】
【００２７】
３                      遊技盤
２０                    障害釘群
２１                    障害釘
２１ａ                  軸部
２２                    補助釘部材
２５                    突条
Ｂ                      遊技球
Ｐ                      遊技機（パチンコ遊技機）
【図１】
2006346016.tif 000003
【図２】
2006346016.tif 000004
【図３】
2006346016.tif 000005
【図４】
2006346016.tif 000006